(57)【要約】【課題】  従来より内面の寸法を大きくすることができ、かつ高い密封性を有する包装用袋を提供すること。【解決手段】本発明の包装用袋は、袋本体部と舌片部とを有し、袋本体部は、外側の基材フィルムと内側のヒートシールフィルムとの積層フィルムで構成され、外郭を規定する４辺のうち３辺がヒートシールされて開口部を有する封筒状とされ、舌片部は、開口部を規定する袋本体部の一方の側で袋本体部から積層フィルムが延びて形成され、袋本体部との境界部分において折り返し可能に構成され、袋本体部の他方の側で袋本体部からヒートシールフィルムのみが突出して、開口部に隣接した袋本体部の一辺全域に無地フィルム部が形成され、無地フィルム部の開口部長さ方向両端部は舌片部とヒートシールされ、無地フィルム部が形成された側の袋本体部の開口部側の端部に、開口部に隣接した袋本体部の一辺全域に粘着部が設けられている。【選択図】図１
2015160644.tif 000002
【特許請求の範囲】
【請求項１】
包装用袋であって、
袋本体部と舌片部とを有し、
該袋本体部は、外側に配置された基材フィルムと内側に配置されたヒートシールフィルムとの積層フィルムで構成され、ならびに、外郭を規定する４辺のうち３辺がヒートシールされて、開口部を有する封筒状とされており、
該舌片部は、該開口部を規定する該袋本体部の一方の側において該袋本体部から該積層フィルムが延びて形成されており、該袋本体部との境界部分において該開口部を閉じる方向に折り返し可能に構成されており、
該開口部を規定する該袋本体部の他方の側において該袋本体部から該ヒートシールフィルムのみが突出して、該開口部に隣接した該袋本体部の一辺全域にわたって無地フィルム部が形成されており、
該無地フィルム部の該開口部の長さ方向両端部には該舌片部とヒートシールされたシール部が設けられ、
該無地フィルム部が形成された側の該袋本体部の開口部側の端部に、該開口部に隣接した該袋本体部の一辺全域にわたって粘着部が設けられている、
包装用袋。
【請求項２】
前記無地フィルム部のシール部と前記粘着部との接着力が、該シール部と前記舌片部との接着力よりも強い、請求項１記載の包装用袋。
【請求項３】
包装用袋であって、
袋本体部と舌片部とを有し、
該袋本体部は、外側に配置された基材フィルムと内側に配置されたヒートシールフィルムとの積層フィルムで構成され、ならびに、外郭を規定する４辺のうち３辺がヒートシールされて、開口部を有する封筒状とされており、
該舌片部は、該開口部を規定する該袋本体部の一方の側において該袋本体部から該積層フィルムが延びて形成されており、該袋本体部との境界部分において該開口部を閉じる方向に折り返し可能に構成されており、
該開口部を規定する該袋本体部の他方の側において該袋本体部から該ヒートシールフィルムのみが突出して、該開口部に隣接した該袋本体部の一辺全域にわたって無地フィルム部が形成されており、
該無地フィルム部の該開口部の長さ方向両端部には該舌片部とヒートシールされたシール部が設けられ、
該舌片部の該ヒートシールフィルム側に、該開口部の長さ方向の該舌片部の一方の端部から他方の端部にわたって粘着部が設けられている、
包装用袋。
【発明の詳細な説明】
【技術分野】
【０００１】
本発明は、包装用袋に関する。
【背景技術】
【０００２】
コンビニエンスストアなどで用いられるチャック型包装用袋は密封性が高いという利点がある（特許文献１）。しかし、吊り下げで陳列される場合、チャック型包装用袋の内面の寸法は小さくなるので、被収納物の大きさや量が限定されるという問題がある。したがって、大きい内面の寸法の包装用袋が作製可能な舌片部付き包装用袋においても高い密封性を実現することが望まれている。
【先行技術文献】
【特許文献】
【０００３】
【特許文献１】特開２００８−０８１１７９号公報
【発明の概要】
【発明が解決しようとする課題】
【０００４】
本発明は上記従来の課題を解決するためになされたものであり、その目的とするところは、従来より内面の寸法を大きくすることができ、かつ高い密封性を有する包装用袋を提供することにある。
【課題を解決するための手段】
【０００５】
本発明は、包装用袋であって、
袋本体部と舌片部とを有し、
該袋本体部は、外側に配置された基材フィルムと内側に配置されたヒートシールフィルムとの積層フィルムで構成され、ならびに、外郭を規定する４辺のうち３辺がヒートシールされて、開口部を有する封筒状とされており、
該舌片部は、該開口部を規定する該袋本体部の一方の側において該袋本体部から該積層フィルムが延びて形成されており、該袋本体部との境界部分において該開口部を閉じる方向に折り返し可能に構成されており、
該開口部を規定する該袋本体部の他方の側において該袋本体部から該ヒートシールフィルムのみが突出して、該開口部に隣接した該袋本体部の一辺全域にわたって無地フィルム部が形成されており、
該無地フィルム部の該開口部の長さ方向両端部には該舌片部とヒートシールされたシール部が設けられ、
該無地フィルム部が形成された側の該袋本体部の開口部側の端部に、該開口部に隣接した該袋本体部の一辺全域にわたって粘着部が設けられている、
包装用袋を提供する。
１つの実施形態においては、上記無地フィルム部のシール部と上記粘着部との接着力は、該シール部と上記舌片部との接着力よりも強い。
さらに、本発明は、包装用袋であって、
袋本体部と舌片部とを有し、
該袋本体部は、外側に配置された基材フィルムと内側に配置されたヒートシールフィルムとの積層フィルムで構成され、ならびに、外郭を規定する４辺のうち３辺がヒートシールされて、開口部を有する封筒状とされており、
該舌片部は、該開口部を規定する該袋本体部の一方の側において該袋本体部から該積層フィルムが延びて形成されており、該袋本体部との境界部分において該開口部を閉じる方向に折り返し可能に構成されており、
該開口部を規定する該袋本体部の他方の側において該袋本体部から該ヒートシールフィルムのみが突出して、該開口部に隣接した該袋本体部の一辺全域にわたって無地フィルム部が形成されており、
該無地フィルム部の該開口部の長さ方向両端部には該舌片部とヒートシールされたシール部が設けられ、
該舌片部の該ヒートシールフィルム側に、該開口部の長さ方向の該舌片部の一方の端部から他方の端部にわたって粘着部が設けられている、
包装用袋を提供する。
【発明の効果】
【０００６】
本発明によれば、従来より内面の寸法を大きくすることができ、かつ高い密封性を有する包装用袋を提供することができる。
【図面の簡単な説明】
【０００７】
【図１】本発明の１つの実施形態による包装用袋の概略斜視図である。
【図２】本発明の１つの実施形態に用いられる包装用袋の１つの状態を説明する概略平面図である。
【図３】本発明の１つの実施形態に用いられる包装用袋の別の状態を説明する概略平面図である。
【図４】本発明の１つの別の実施形態に用いられる包装用袋のさらに別の状態を説明する概略平面図である。
【図５】本発明の別の実施形態による包装用袋の概略斜視図である。
【図６】本発明の別の実施形態に用いられる包装用袋の１つの状態を説明する概略平面図である。
【図７】本発明の別の実施形態に用いられる包装用袋の別の状態を説明する概略平面図である。
【発明を実施するための形態】
【０００８】
以下、図面を参照して本発明の実施形態について説明するが、本発明はこれらの実施形態には限定されない。
【０００９】
図１は、本発明の１つの実施形態による包装用袋１００の概略斜視図である。包装用袋１００は、袋本体部１０と舌片部２０とを有する。
【００１０】
袋本体部１０は、外側に配置された基材フィルムと内側に配置されたヒートシールフィルムとの積層フィルムで構成されている。袋本体部１０の外郭を規定する４辺のうち３辺１１ａ、１１ｂ、および１１ｃがヒートシールされている。その結果、袋本体部１０は開口部１２を有する封筒状とされている。
【００１１】
舌片部２０は、開口部１２を規定する袋本体部１０の一方の側において、袋本体部１０から上記積層フィルムが延びて形成されている。舌片部２０は、袋本体部１０との境界部分１１ｄ’において開口部１２を閉じる方向に折り返し可能に構成されている。
【００１２】
開口部１２を規定する袋本体部１０の他方の側においては、袋本体部１０から上記ヒートシールフィルムのみが突出して、開口部１２に隣接した袋本体部１０の一辺１１ｄ全域にわたって無地フィルム部３０が形成されている。無地フィルム部３０の開口部１２の長さ方向両端部には舌片部２０とヒートシールされたシール部３１ａおよび３１ｂが設けられている。
【００１３】
無地フィルム部３０が形成された側の袋本体部１０の開口部１２側の端部に、開口部１２に隣接した袋本体部１０の一辺１１ｄの全域にわたって粘着部１３が設けられている。代表的には、無地フィルム部３０のシール部３１ａおよび３１ｂと粘着部１３との接着力は、シール部３１ａおよび３１ｂと舌片部２０との接着力よりも強い。なお、本明細書では、接着力とは、単位面積あたりの接着力ではなく、接着面全体での接着力を意味するものとする。
【００１４】
図１でＰとして示す、開口部１２の長さ方向の舌片部２０の幅としては、任意の適切な幅を採用し得る。上記幅は例えば１０ｍｍ〜８０ｍｍである。例えば上記幅は３０ｍｍである。
【００１５】
図１でＱとして示す、開口部１２の長さ方向の袋本体部１０の幅としては、任意の適切な幅を採用し得る。上記幅は例えば１００ｍｍ〜３００ｍｍである。例えば上記距離は２２０ｍｍである。
【００１６】
図１でＲとして示す、開口部１２の長さ方向の無地フィルム部３０の幅としては、任意の適切な幅を採用し得る。上記幅は例えば５ｍｍ〜２０ｍｍである。例えば上記幅は７．５ｍｍである。
【００１７】
図１でＳとして示す、開口部１２の長さ方向の粘着部１３の幅としては、任意の適切な幅を採用し得る。上記幅は例えば５ｍｍ〜２５ｍｍである。例えば上記幅は９ｍｍである。
【００１８】
Ｓ／Ｒの比率としては、任意の適切な値を採用し得る。例えば上記比率は１．１以上である。上記構成を有することにより、袋本体部と舌片部との粘着部分の幅が増大するので、包装用袋の密封性が向上する。例えば上記比率は１．３以下である。上記構成を有することにより、包装用袋の開封後に粘着部上に残る無地フィルム部の幅が増大するので、包装用袋の開封後に商品を取り出すことが容易になる。例えば上記比率は１．２である。
【００１９】
上記基材フィルムを構成する材料としては、任意の適切な材料を採用し得る。上記材料としては、例えば、ポリエステル（例えば、ＰＥＴ（ポリエチレンテレフタレート））二軸延伸ナイロン（ＯＮＹ）、二軸延伸ポリプロピレン（ＯＰＰ）が挙げられる。
【００２０】
上記ヒートシールフィルムを構成する材料としては、任意の適切な材料を採用し得る。上記材料としては、例えば、ＰＰ（ポリプロピレン）、ＰＥ（ポリエチレン）、ＥＶＡ（エチレン・酢酸ビニル共重合体）、ＬＬＤＰＥ（直鎖状低密度ポリエチレン）、およびこれらの組み合わせが挙げられる。包装用袋１００においては、好ましくは、上記材料はエチレン・酢酸ビニル共重合体、直鎖状低密度ポリエチレン、およびこれらの組み合わせを含む。上記ヒートシールフィルムを構成する材料が、エチレン・酢酸ビニル共重合体、直鎖状低密度ポリエチレン、およびこれらの組み合わせを含むことにより、無地フィルム部のシール部３１ａおよび３１ｂと粘着部１３との接着力を、シール部３１ａおよび３１ｂと舌片部２０との接着力よりも強くすることが容易になる。
【００２１】
粘着部１３は、任意の適切な方法によって得られ得る。上記方法としては、例えば、粘着性を有する任意の適切な材料を積層する方法、および上記材料を用いた両面テープを貼付する方法が挙げられる。上記材料としては、例えば、ゴム系粘着剤、アクリル系粘着剤、シリコーン系粘着剤、ウレタン系粘着剤、およびこれらの組み合わせが挙げられる。
【００２２】
包装用袋１００の袋本体部１０および舌片部２０の構成の一例として、以下の構成が挙げられる。
ＰＥＴ＃１２／ＡＣ／ＰＥ１５μ／ＰＰ＃３５／ＤＬ／ＥＶＡ＃３０
すなわち、袋本体部１０および舌片部２０を構成する積層フィルムは、厚さ１２μｍのポリエチレンテレフタレートフィルム（商品名「ＦＥ２００１」、フタムラ化学株式会社製）と、厚さ３５μｍの延伸ポリプロピレンフィルム（商品名「ＯＰＬ−ＢＴ」、フタムラ化学株式会社製）とを、ポリエチレン樹脂（商品名「ペトロセン２０３」、東ソー株式会社製）を用いたアンカーコート（商品名「Ａ−３２１０／Ａ−３０７２」（三井化学株式会社製））により積層したフィルムを作製して基材フィルムとし、この基材フィルムに、さらに、ヒートシールフィルムとして用いる厚さ３０μｍのポリエチレン系フィルム（商品名「ＣＭＰＳ１０１Ｃ」（三井化学東セロ株式会社製））を、ドライラミネート（商品名「Ａ−１５４−１／ｃ−８８」（大日精化工業株式会社製））により積層することによって得られる。
【００２３】
以下、包装用袋１００の使用方法を説明する。まず、図２に示すように、開口部１２を介して、商品５０を包装用袋１００内に収納することができる。この状態では、包装用袋１００は密封されていない。
【００２４】
次に、図３に示すように、舌片部２０を、袋本体部１０との境界部分１１ｄ’において折り返し、舌片部２０を粘着部１３と密着させる。当該舌片部の折り返しに付随して、無地フィルム部３０も折り返されて粘着部１３と密着する。その結果、無地フィルム部３０のシール部３１ａおよび３１ｂも粘着部１３と密着する。舌片部２０とヒートシールされたシール部３１ａおよび３１ｂと、ヒートシールされた袋本体部１０とが密着しているので、包装用袋１００において完全密封状態を実現できる。さらに、包装用袋１００は内面の大きい寸法で作製可能であるので、従来より内面の寸法を大きくすることができ、かつ高い密封性を有する包装用袋を提供することができる。例えば、袋本体部１０の一辺１１ｃに穴を開けて内面の寸法の大きい包装用袋１００をラックに吊るすことにより、包装用袋１００に包装された大きい寸法の商品５０を清潔に保った状態で店頭に陳列することができる。
【００２５】
商品５０を使用するために取り出す際には、図４に示すように、舌片部２０を粘着部１３から剥離する。その際、上述したような接着力の関係により、無地フィルム部３０は粘着部１３上に残る。したがって、商品を購入した消費者は無地フィルム部３０を持って包装用袋１００を開封することが可能である。
【００２６】
図５は、本発明の別の実施形態による包装用袋２００の概略斜視図である。以下、包装用袋２００の構成については、主に包装用袋１００との相違点について説明する。
【００２７】
包装用袋１００における粘着部１３に代えて、包装用袋２００においては、舌片部２０のヒートシールフィルム側に、開口部１２の長さ方向の舌片部２０の一方の端部から他方の端部にわたって粘着部２３が設けられている。
【００２８】
上記ヒートシールフィルムを構成する材料としては、任意の適切な材料を採用し得る。包装用袋２００においては、好ましくは、上記材料は、ＰＰ（ポリプロピレン）および／またはＰＥ（ポリエチレン）を含む。このような構成を有することにより、袋本体部１０の３辺１１ａ、１１ｂ、および１１ｃのヒートシールの接着力、ならびに無地フィルム部３０のシール部３１ａおよび３１ｂと舌片部２０との接着力が向上する。したがって、ヒートシール部分の密着性がより高まるので、包装用袋２００における密封状態がさらに向上する。
【００２９】
包装用袋２００の袋本体部１０の構成の一例として、以下の構成が挙げられる。
ＰＥＴ＃１２／ＡＣ／ＰＥ１５μ／ＰＰ＃３５／ＤＬ／ＰＰ＃２５
すなわち、ヒートシールフィルムとして厚さ２５μｍのポリプロピレンフィルム（商品名「ＦＯＨ−Ｌ」（フタムラ化学株式会社製））を用いた以外は、包装用袋１００の袋本体部１０の構成の一例として上述した積層フィルムと同一である。
【００３０】
以下、包装用袋２００の使用方法を説明する。まず、図６に示すように、開口部１２を介して、商品５０を包装用袋２００内に収納することができる。この状態では、包装用袋２００は密封されていない。
【００３１】
次に、図７に示すように、舌片部２０を、袋本体部１０との境界部分１１ｄ’において折り返し、舌片部２０を粘着部２３と密着させる。包装用袋２００では、当該舌片部の折り返しに付随して、シール部３１ａおよび３１ｂでシールされた無地フィルム部３０も折り返される。その結果、無地フィルム部ごと舌片部を折り返さない包装用袋における、折り返し部分からゴミが入りやすいという問題が解決され、包装用袋２００の密封性が向上する。さらに、包装用袋２００は内面の大きい寸法で作製可能であるので、従来より内面の寸法を大きくすることができ、かつ高い密封性を有する包装用袋を提供することができる。例えば、袋本体部１０の一辺１１ｃに穴を開けて内面の寸法の大きい包装用袋２００をラックに吊るすことにより、包装用袋２００に包装された大きい寸法の商品５０を清潔に保った状態で店頭に陳列することができる。
【００３２】
次に、舌片部２０を粘着部２３から剥離して、舌片部２０を元の位置に戻すと、包装用袋２００は図６に示した状態にもどるので、商品５０を購入した消費者は商品５０を容易に取り出すことができる。
【符号の説明】
【００３３】
１０            袋本体部
２０            舌片部
１３、２３      粘着部
３０            無地フィルム部
１００、２００  包装用袋
【図１】
2015160644.tif 000003
【図２】
2015160644.tif 000004
【図３】
2015160644.tif 000005
【図４】
2015160644.tif 000006
【図５】
2015160644.tif 000007
【図６】
2015160644.tif 000008
【図７】
2015160644.tif 000009